(57)【要約】【課題】  船上から、海苔畑の支柱の立て辛い海底の貝殻や砂の層に海苔支柱を立てるという課題を解決する、海苔支柱立て込み装置を提供する。【解決手段】  海苔支柱立て込み装置の、捩じりバネ付鉤形フックを海苔支柱の泥抜き穴に差し込み、海苔支柱支え金具Ａを支点にして、テコを応用して、海苔支柱支え金具Ｂとの間に海苔支柱を押し込み挟む。海水ホースに水圧をかけ、海水噴射パイプから噴射しながら海底の貝殻や砂の層を液状化して海苔支柱を押さえ込んでいく。泥抜き穴が貝殻や砂の層を通過したら送水をとめて、捩じりバネ付フックのはずれる長さ海苔支柱を引き上げ、泥抜き穴から捩じりバネ付フックをバネの弾力ではずし、海苔支柱を押さえて、海水ホースに送水しながら海苔支柱立て込み装置を引っ張りロープで引き上げ、海苔支柱を上げ下げの反動をつけ押さえ立て込んで課題を解決する。【選択図】図１
0003145320.tif 000002
【実用新案登録請求の範囲】
【請求項１】
海水噴射パイプと、捩じりバネ付鉤形フックと、捩じりバネ付フック支え穴と、捩じりバネ付鉤形フックずれ防止金具と、海苔支柱支え金具Ａと、海苔支柱支え金具Ｂと、捩じりバネ付き鉤形フック取り付けボルトと、海水ホースと、海苔支柱立て込み装置引き上げロープとを合わせ構成した、海苔支柱立て込み装置。
【考案の詳細な説明】
【技術分野】
【０００１】  本考案は、海苔支柱立て込み装置に関するものであり、海苔支柱の立て辛い海苔畑海底の上層の貝殻や砂の層を水流により液状化して、海苔支柱を立てる、海苔支柱立て込み装置に関する。
【背景技術】
【０００２】  従来から、海苔支柱立て込み装置として、特許文献に開示されているものがある。
【特許文献１】  特開２００３−１７４８２９号公報
【０００３】  海苔の生産地有明海では、船上から作業する金属製の送水パイプが利用されている（図５）。
【考案の開示】
【考案が解決しようとする課題】
【０００４】  特許文献１では重機により海苔支柱を立て込む方法がとられているが、海苔漁船に重機を積むと積載量が増えて、現在の有明海の海苔漁船では海苔支柱を積むスペースが減少してしまい、船を大きくするとコスト面でもデメリットが発生する。【０００５】  有明海で従来から、利用されている金属性の送水パイプは、船上から海水ポンプで海底上層の貝殻や砂の層に海水を噴射して液状化させて穴を開け、パイプを引き抜き、開けた穴に海苔支柱の根元を差し込み立てられているが、船上からはパイプを引き抜いた穴が、泥や貝殻や砂の濁りで見えないために、海苔支柱の根元が差し込みづらく、何度も送水パイプを上げ下げして穴を大きくして、海苔支柱を押さえ立て込まれている。穴を大きくすると貝殻や砂の層の液状化現象の面積が広くなり、潮流の速い時、海苔支柱が傾いてしまう、傾きを防止するために海苔支柱を上げ下げして反動をつけ押さえ深く立てると、海苔支柱の長さが限られているので、海苔網を海苔の発育のため、満潮時水面の光と干潮時の間出を取るための、海苔支柱に海苔網を吊るすロープの場所が限られ、満潮時の風が強く波の荒い時、海苔支柱は海苔網の目を差し、干潮時に海苔網は乾燥して時間がたつと海苔の種目は死んでしまい、長い海苔支柱を使用すると直径も大きくなり、重量も増え扱いづらく、海苔期間が終わり海苔支柱を撤去する時、海底に深く抜かっているために抜き辛い、コスト面でもデメリットが発生する、この考案は、これらの不都合を解決することを課題とする。
【課題を解決するための手段】
【０００６】  この課題を解決するための請求項１の考案は、海水噴射パイプと、捩じりバネ付鉤形フックと、捩じりバネ付鉤形フック支え穴と、捩じりバネ付鉤形フックずれ防止金具と、海苔支柱支え金具Ａと、海苔支柱支え金具Ｂと、捩じりバネ付鉤形フック取り付けボルトと、海水ホースと、海苔支柱立て装置引き上げロープとを合わせ海苔支柱立て込み装置（図２）を構成する。【０００７】  海水噴射パイプに、捩じりバネ付鉤形フック取り付けボルトで取り付けられ、捩じりバネ付き鉤形フック支え穴に支えられた、捩じりバネ付鉤形フックを海苔支柱の泥抜き穴に差込み、海苔支柱支え金具Ａを支点にして、テコの原理を応用して海苔支柱の泥抜き穴に差し込まれている、捩じりバネ付鉤形フックを捩じり、海苔支柱支え金具Ｂとの間に海苔支柱を押し込み、捩じりバネ付鉤形フックの復帰弾力を応用し、海苔支柱を挟み支える。【０００８】  船上より、海苔支柱の根本を海底の所定の位置に当て、海水ホースに送水して水圧をかけ、海水噴射パイプから噴射しながら海底上層の貝殻や砂の層を水流により液状化し、海苔支柱を押さえ込んでいく。【０００９】  海苔支柱の泥抜き穴に差し込まれている、捩じりバネ付鉤形フックの、捩じりバネ付鉤形フックずれ防止金具は、捩じりバネ付鉤形フック支え穴で、ずれが防止され、海苔支柱立て込み装置と共に押え込まれる。【００１０】  海苔支柱の泥抜き穴が、貝殻や砂の層を通過した位置で送水をとめ、海苔支柱立て込み装置を、液状化した貝殻や砂の層の中にとめ、捩じりバネ付鉤形フックを海苔支柱の泥抜き穴に差し込まれている長さ、海苔支柱を引き上げ泥抜き穴から、捩じりバネ付鉤形フックのバネの復帰弾力ではずし、海苔支柱を押えて、送水パイプに送水しながら、噴射の水圧を応用し、海苔支柱立て装置の浮上を促進して、海苔支柱引き上げロープで引き上げて、海苔支柱を上げ下げの反動をつけて押さえ込んで立てる。
【考案の効果】
【００１１】  本考案により、海苔支柱を海底上層の貝殻や砂の層に立てる場合、従来のように海苔漁船に重機を積載する必要はなく、また、金属製送水パイプのように、海苔支柱の根元で穴を探す必要はなく、穴を大きく開けたりする必要もなくなり、海苔支柱が速い潮流により大きな穴で傾いたり、潮が満ちて波で揺さ振られ、傾いて抜けたりする不都合は起きず、目標の位置に海苔支柱を立てる事ができ、作業能率が向上するのである。【００１２】  海苔網の張り込まれた海苔支柱は、潮位の高い波の荒い時、海苔支柱が抜け、海苔畑の荒れることも減少して、海苔網の芽を順調に発育させる事ができ、海苔の増産が行えるのである
【考案を実施するための最良の形態】
【００１３】  以下、本考案の実施形態について説明する。図１は、海苔支柱立て込み装置の分解立面図を示す。図２は、海苔支柱立て込み装置の立面図を示す。図３は、海苔支柱立て込み装置に海苔支柱を装着した立面図を示す。図４は、海苔支柱の立面図を示す。図５は、従来の海苔支柱立て用具の立面図を示す。【００１４】  図２に示すように、海苔支柱立て込み装置の、１海水噴射パイプに、７捩じりバネ付鉤形フック取り付けボルトで取り付けられ、３捩じりバネ付鉤形フック支え穴に支えられた、２捩じりバネ付鉤形フックに、１３海苔支柱の、１０泥抜き穴に差し込み、５海苔支柱止め金具Ａに、１３海苔支柱を当て、支点にして、テコの原理を応用して、１０泥抜き穴に差し込まれている、２捩じりバネ付鉤形フックを捩じり、６海苔支柱支え金具Ｂの間に、１３海苔支柱を押し込み、２捩じりバネ付鉤形フックの復帰弾力を応用し、１３海苔支柱を挟み支える。【００１５】  船上より、１３海苔支柱の根本を海底の所定の位置に当て、８海水ホースに送水し、水圧をかけ、１噴射パイプから噴射しながら、上層の貝殻や砂の層を水流により液状化し、１３海苔支柱を押さえ込んでいく。【００１６】  １３海苔支柱の、１０泥抜き穴に差し込まれている、２捩じりバネ鉤形フックの、４捩じりバネ付鉤形フックずれ防止金具は、３捩じりバネ付鉤形支え穴で、ずれが防止され、海苔支柱立て装置と共に押さえ込まれる。【００１７】  １３海苔支柱の、１０泥抜き穴が貝殻や砂の層を通過した位置で送水を止め、海苔支柱立て装置を、液状化した貝殻や砂の層の中にとめ、２捩じりバネ付鉤形フックを、１３海苔支柱の、１０泥抜き穴に差し込まれている長さ、１３海苔支柱を引き上げ、１０泥抜き穴から、２捩じりバネ付鉤形フックを、バネの復帰弾力ではずし、１０泥抜き穴からずらす。１３海苔支柱を押えて、７送水ホースに送水しながら、噴射の水圧を応用し、海苔支柱立て込み装置の浮上を促進して、９海苔支柱引き上げロープで引き上げて、１３海苔支柱を上げ下げの反動を付けて所定の位置まで押さえ込んで立てる。【００１８】  このように工夫した、海苔支柱立て込み装置で海苔支柱を立てると従来のように穴を探したり、海苔支柱が大きく開けられた穴で速い潮流より傾いたり高い波で抜けたりする事を意識する事なく、海苔支柱の立て込み作業の効率を向上させる事ができる。【００１９】  海苔支柱の、倒れ抜け防止は、海苔畑の荒れを防ぎ海苔の増産が行える。
【産業上の利用可能性】
【００２０】  本発明に係る、海苔支柱立て込み装置は工業的量産することが可能であるために、産業上の利用可能性を有する。
【図面の簡単な説明】
【００２１】
【図１】海苔支柱立て込み装置の分解立面図である。
【図２】海苔支柱立て込み装置の立面図である。
【図３】海苔支柱立込み装置に海苔支柱を装着した立面図である。
【図４】海苔支柱の立面図である。
【図５】従来の海苔支柱立て用具の立面図である。
【符号の説明】
【００２２】  １  海水噴射パイプを示す
２  捩じりバネ付鉤形フックを示す
３  捩じりバネ付鉤形フック支え穴を示す
４  捩じりバネ付鉤形フックずれ防止金具を示す
５  海苔支柱止め金具Ａを示す
６  海苔支柱止め金具Ｂを示す
７  捩じりバネ付フック取り付けボルトを示す
８  海水ホースを示す
９  海苔支柱立て込み装置引き上げロープを示す
１０  泥抜き穴を示す
１１  水抜き穴を示す
１２  空気抜き穴を示す
１３  海苔支柱を示す
【図１】
0003145320.tif 000003
【図２】
0003145320.tif 000004
【図３】
0003145320.tif 000005
【図４】
0003145320.tif 000006
【図５】
0003145320.tif 000007
【手続補正書】
【提出日】平成20年4月7日(2008.4.7)
【手続補正１】
【補正対象書類名】実用新案登録請求の範囲
【補正対象項目名】全文
【補正方法】変更
【補正の内容】
【実用新案登録請求の範囲】
【請求項１】
ノズル付パイプと、捩じりバネ付鉤形フックと、捩じりバネ付フック支え穴と、捩じりバネ付鉤形フックずれ防止金具と、海苔支柱支え金具Ａと、海苔支柱支え金具Ｂと、捩じりバネ付き鉤形フック取り付けボルトと、海水ホースと、引き上げロープを合わせ構成した、海苔支柱立て込み装置。
【手続補正２】
【補正対象書類名】明細書
【補正対象項目名】全文
【補正方法】変更
【補正の内容】
【考案の詳細な説明】
【技術分野】
【０００１】  本考案は、海苔支柱立て込み装置に関するものであり、海苔支柱の立て辛い海苔畑海底の貝殻や砂の層を水流により液状化して、海苔支柱を立てる、海苔支柱立て込み装置に関する。
【背景技術】
【０００２】  従来から、海苔支柱立て込み装置として、特許文献に開示されているものがある。
【特許文献１】  特開２００３−１７４８２９号公報
【０００３】  海苔の生産地有明海では、船上から作業する金属製の送水パイプが利用されている（図５）。
【考案の開示】
【考案が解決しようとする課題】
【０００４】  特許文献１では重機により海苔支柱を立て込む方法がとられているが、海苔漁船に重機を積むと積載量が増えて、現在の有明海の海苔漁船では海苔支柱を積むスペースが減少してしまい、船を大きくするとコスト面でもデメリットが発生する。【０００５】  有明海で従来から、利用されている金属性の送水パイプは、船上から海水ポンプで海底の１メートル未満に多い貝殻や砂の層に海水を噴射して液状化させて穴を開け、パイプを引き抜き、開けた穴に海苔支柱の根元を差し込み立てられているが、船上からはパイプを引き抜いた穴が、泥や貝殻や砂の濁りで見えないために、海苔支柱の根元が差し込みづらく、何度も送水パイプを上げ下げして穴を大きくして、海苔支柱を押さえ立て込まれている。穴を大きくすると貝殻や砂の層の液状化の面積が広くなり、潮流の速い時、海苔支柱が傾いてしまう、傾きを防止するために海苔支柱を上げ下げして反動をつけ押さえ深く立てると、海苔支柱の長さが限られているので、海苔網を海苔の発育のため、満潮時の水面の光と干潮時の間出を取るための、海苔支柱に海苔網を吊るすロープの場所が限られ、満潮時の風が強く波の荒い時、海苔支柱は海苔網の目を差し、干潮時に海苔網は乾燥して時間がたつと海苔の種芽は死んでしまい、長い海苔支柱を使用すると直径も大きくなり、重量も増え扱いづらく、海苔期間が終り海苔支柱を撤去する時、海底に深く抜かっているために抜き辛い、コスト面でもデメリットが発生する、この考案は、これらの不都合を解決することを課題とする。
【課題を解決するための手段】
【０００６】  この課題を解決するための請求項１の考案は、ノズル付パイプと、捩じりバネ付鉤形フックと、捩じりバネ付鉤形フック支え穴と、捩じりバネ付鉤形フックずれ防止金具と、海苔支柱支え金具Ａと、海苔支柱支え金具Ｂと、捩じりバネ付鉤形フック取り付けボルトと、海水ホースと、引き上げロープとを合わせ海苔支柱立て込み装置（図２）を構成する。【０００７】  ノズル付パイプに、捩じりバネ付鉤形フック取り付けボルトで取り付けられ、捩じりバネ付き鉤形フック支え穴に支えられた、捩じりバネ付鉤形フックを、海苔支柱の泥抜き穴に差込み、海苔支柱支え金具Ａを支点にして、テコを応用して海苔支柱の泥抜き穴に差し込まれている、捩じりバネ付鉤形フックを捩じり、海苔支柱支え金具Ｂとの間に海苔支柱を押し込み、捩じりバネ付鉤形フックの復帰弾力を応用し、海苔支柱を挟む。【０００８】  船上より海苔支柱を持ちノズルを海底の所定の位置に当て、海水ホースに送水して水圧をかけ、海水をノズルから噴射しながら海底の貝殻や砂の層を水流により液状化し、海苔支柱を押さえ込んでいく。【０００９】  海苔支柱の泥抜き穴に差し込まれている、捩じりバネ付鉤形フックの、捩じりバネ付鉤形フックずれ防止金具は、捩じりバネ付鉤形フック支え穴で、ずれが防止され、海苔支柱立て込み装置は海苔支柱と共に海底に押え込まれる。【００１０】  海苔支柱の泥抜き穴が、貝殻や砂の層を通過した位置で海水ホースの送水をとめ、海苔支柱立て込み装置を、半液状化の貝殻や砂の層の中にとめ、捩じりバネ付鉤形フックを海苔支柱の泥抜き穴に差し込まれている長さ、海苔支柱を引き上げ泥抜き穴から、捩じりバネ付鉤形フックのバネの弾力ではずし、海苔支柱を押えて、海水ホースに送水しながら再び液状化し、噴射の水圧で海苔支柱立て装置の浮上を促進して、引き上げロープで海苔支柱立て込み装置を船上に引き上げて、海苔支柱を上げ下げの反動をつけて押さえ所定の位置まで立て込む。
【考案の効果】
【００１１】  本考案により、海苔支柱を海底の貝殻や砂の層に立てる場合、従来のように海苔漁船に重機を積載する必要はなく、また、金属製送水パイプのように、海苔支柱の根元で穴を探す必要はなく、穴を大きく開けたりする必要もなくなり、海苔支柱が速い潮流により大きな穴で傾いたり、潮が満ちて波で揺さ振られ、傾いて抜けたりする不都合は起きず、目標の位置に海苔支柱を立てる事ができ、作業能率が向上するのである。【００１２】  海苔網の張り込まれた海苔支柱は、潮位の高い波の荒い時、海苔支柱が抜け、海苔畑の荒れることも減少して、海苔網の芽を順調に発育させる事ができ、海苔の増産が行えるのである
【考案を実施するための最良の形態】
【００１３】  以下、本考案の実施形態について説明する。図１は、海苔支柱立て込み装置の分解立面図を示す。図２は、海苔支柱立て込み装置の立面図を示す。図３は、海苔支柱立て込み装置に海苔支柱を挟んだ立面図を示す。図４は、海苔支柱の立面図を示す。図５は、従来の海苔支柱立て用具の立面図を示す。【００１４】  図２に示すように、海苔支柱立て込み装置の、１ノズル付パイプに、７捩じりバネ付鉤形フック取り付けボルトで取り付けられ、３捩じりバネ付鉤形フック支え穴に支えられた、２捩じりバネ付鉤形フックに、１３海苔支柱の、１０泥抜き穴に差し込み、５海苔支柱支え金具Ａに、１３海苔支柱を当て、支点にして、テコを応用し、１０泥抜き穴に差し込まれている、２捩じりバネ付鉤形フックを捩じり、６海苔支柱支え金具Ｂの間に、１３海苔支柱を押し込み、２捩じりバネ付鉤形フックの復帰弾力を応用し、１３海苔支柱を挟む。【００１５】  船上より、１３海苔支柱を持ちノズルを海底の所定の位置に当て、８海水ホースに送水し、水圧をかけ、１ノズルから噴射しながら、上層の貝殻や砂の層を水流により液状化し、１３海苔支柱を押さえ込んでいく。【００１６】  １３海苔支柱の、１０泥抜き穴に差し込まれている、２捩じりバネ鉤形フックの、４捩じりバネ付鉤形フックずれ防止金具は、３捩じりバネ付鉤形支え穴で、ずれが防止され、海苔支柱立て込み装置は海苔支柱と共に海底に押さえ込まれる。【００１７】  １３海苔支柱の、１０泥抜き穴が貝殻や砂の層を通過した位置で海水ホースの送水を止め、海苔支柱立て込み装置を、半液状化した貝殻や砂の層の中にとめ、２捩じりバネ付鉤形フックを、１３海苔支柱の、１０泥抜き穴に差し込まれている長さ、１３海苔支柱を引き上げ、１０泥抜き穴から、２捩じりバネ付鉤形フックを、バネの弾力ではずし、１０泥抜き穴からずらす。１３海苔支柱を押えて、７海水ホースに送水しながら再び液状化し、噴射の水圧で海苔支柱立て込み装置の浮上を促進して、９引き上げロープで海苔支柱立て込み装置を船上に引き上げて、１３海苔支柱を上げ下げの反動を付けて所定の位置まで押さえ立て込む。【００１８】  このように工夫した、海苔支柱立て込み装置で海苔支柱を立てると従来のように穴を探したり、海苔支柱が大きく開けられた穴で速い潮流より傾いたり高い波で抜けたりする事を意識する事なく、海苔支柱の立て込み作業の効率を向上させる事ができる。【００１９】  海苔支柱の、倒れ抜け防止は、海苔畑の荒れを防ぎ海苔の増産が行える。
【産業上の利用可能性】
【００２０】  本発明に係る、海苔支柱立て込み装置は工業的量産することが可能であるために、産業上の利用可能性を有する。
【図面の簡単な説明】
【００２１】
【図１】  海苔支柱立て込み装置の分解立面図である。
【図２】  海苔支柱立て込み装置の立面図である。
【図３】  海苔支柱立込み装置に海苔支柱を装着した立面図である。
【図４】  海苔支柱の立面図である。
【図５】  従来の海苔支柱立て用具の立面図である。
【符号の説明】
【００２２】  １  ノズル付パイプを示す
２  捩じりバネ付鉤形フックを示す
３  捩じりバネ付鉤形フック支え穴を示す
４  捩じりバネ付鉤形フックずれ防止金具を示す
５  海苔支柱支え金具Ａを示す
６  海苔支柱支え金具Ｂを示す
７  捩じりバネ付フック取り付けボルトを示す
８  海水ホースを示す
９  引き上げロープを示す
１０  泥抜き穴を示す
１１  水抜き穴を示す
１２  空気抜き穴を示す
１３  海苔支柱を示す
【手続補正３】
【補正対象書類名】図面
【補正対象項目名】全図
【補正方法】変更
【補正の内容】
【図１】
0003145320.tif 000008
【図２】
0003145320.tif 000009
【図３】
0003145320.tif 000010
【図４】
0003145320.tif 000011
【図５】
0003145320.tif 000012
【手続補正書】
【提出日】平成20年6月30日(2008.6.30)
【手続補正１】
【補正対象書類名】実用新案登録請求の範囲
【補正対象項目名】全文
【補正方法】変更
【補正の内容】
【実用新案登録請求の範囲】
【請求項１】
水圧をかけるための金属製のパイプに、ノズルと、捩じりバネ付鉤形フックと、フック支え穴と、フックずれ防止金具と、海苔支柱クランプＡと、海苔支柱クランプＢと、フック取り付けボルトと、海水ホースと、引き上げロープを合わせ構成した、海苔支柱立て込み装置。
【手続補正２】
【補正対象書類名】明細書
【補正対象項目名】全文
【補正方法】変更
【補正の内容】
【考案の詳細な説明】
【技術分野】
【０００１】  本考案は、海苔支柱立て込み装置に関する。
【背景技術】
【０００２】  従来から、海苔支柱立て込み装置として、特許文献に開示されているものがある。
【特許文献１】  特開２００３−１７４８２９号公報
【０００３】  海苔の生産地有明海では、船上から海底に届く長さのパイプに海水ホースを接続し、送水しながら海底の貝殻や砂の層を液状化し穴を開け、海苔支柱を立て込むための、パイプが利用されている（図４）。
【考案の開示】
【考案が解決しようとする課題】
【０００４】  特許文献１では重機により海苔支柱を立て込む方法がとられているが、海苔漁船に重機を積むと積載量が増えて、有明海の海苔漁船では海苔支柱を積むスペースが減少してしまい、船を大きくするとコスト面でもデメリットが発生する。【０００５】  従来から、利用されているパイプは、船上から海水ポンプにより送水して、海底の貝殻や砂の層に海水を噴射して液状化して穴を開け、パイプを引き抜き、開けた穴に海苔支柱の根元を差し込み立てられているが、船上からはパイプを引き抜いた穴が、泥や貝殻や砂の濁りで見えないために、海苔支柱の根元が差し込みづらく、何度も送水パイプを上げ下げして穴を大きくして、海苔支柱を押さえ立て込まれている。【０００６】  穴を大きくすると泥や貝殻や砂の層の液状化の面積が広くなり、潮流の速い時、海苔支柱は波で揺さぶられ傾いたり、抜けたりする。傾きと抜け防止をするために海苔支柱を上げ下げして反動をつけ押さえ深く立てると、長い海苔支柱が必要となる。【０００７】  長い海苔支柱を使用すると直径も大きくなり、重量も増え扱いづらく、漁期が終り海苔支柱を撤去する時、海底に深く抜かっているために抜き辛い、コスト面でもデメリットが発生する、この考案は、これらの不都合を解決することを課題とする。
【課題を解決するための手段】
【０００８】  この課題を解決するための請求項１の考案は、水圧をかけるための金属製のパイプに、ノズルと、捩じりバネ付鉤形フックと、フック支え穴と、フックずれ防止金具と、海苔支柱クランプＡと、海苔支柱クランプＢと、フック取り付けボルトと、海水ホースと、引き上げロープとを合わせ、海苔支柱立て込み装置を構成する（図１）。【０００９】  この、海苔支柱立て込み装置の捩じりバネ付鉤形フックを海苔支柱の泥抜き穴に差し込み、海苔支柱の側面を海苔支柱クランプＡに当て、支点にテコの原理で抉り、海苔支柱クランプＢとの間に海苔支柱を押し込み、捩じりバネ付フックと海苔支柱クランプＡと海苔支柱クランプＢとの三点で挟み固定する（図２）。【００１０】  船上より海苔支柱を持ちノズルを海底の所定の位置に当て、海水ホースに送水して水圧をかけ、海水をノズルから噴射しながら海底の貝殻や砂の層を水流により液状化し、海苔支柱を押さえ込んでいく。【００１１】  海苔支柱の泥抜き穴に差し込まれている、捩じりバネ付鉤形フックにより、海苔支柱立て込み装置は海苔支柱と共に液状化された海底に押え込まれる。【００１２】  海苔支柱の泥抜き穴が、貝殻や砂の層を通過した位置で海水ホースの送水をとめ、海苔支柱立て込み装置を、半液状化の貝殻や砂の層の中に止め、海苔支柱を捩じりバネ付フックが泥抜き穴に差し込まれている長さ引き上げ泥抜き穴から捩じりバネ付鉤形フックをバネの弾力で泥抜き穴から横にずらして、三点の挟みを外し、固定を解除する。【００１３】  海苔支柱を押えて、海水ホースに送水しながら再び液状化し、ノズルの噴射の反動で海苔支柱立て装置の浮上を促進して、引き上げロープで海苔支柱立て込み装置を船上に引き上げて、海苔支柱を上げ下げの反動をつけて押さえ所定の深さまで立て込む。
【考案の効果】
【００１４】  海苔支柱を海底の貝殻や砂の層に立てる場合、本考案の海苔支柱立て込み装置を海苔支柱に固定することにより、従来のように海苔漁船に重機を積載する必要はなく、また、従来のパイプのように、海苔支柱の根元で見えにくい穴を探す必要もなく、穴を大きく開けたりする必要もなくなり、海苔支柱が速い潮流により大きな穴で傾いたり、潮が満ちて波で揺さ振られ、傾いて抜けたりする不都合は起きず、目標の位置に目標の深さまで海苔支柱を立て込むことができ、作業能率が向上するのである。【００１５】  大きな穴に立て込まれ海苔網の張られた海苔支柱は、潮位の高い波の荒い時、抜けることがあり、本、海苔支柱立て込み装置で立て込んだ場合、海苔畑の荒れることも減少して、海苔網の芽を順調に発育させる事ができ、海苔の増産が行えるのである。
【考案を実施するための最良の形態】
【００１６】  実施形態について説明する。本、考案の海苔支柱立て込み装置は、水圧をかけるための、１金属製のパイプに、２ノズルと、３捩じりバネ付き鉤形フックと、４フック支え穴と、５フックずれ防止金具と、７海苔支柱クランプＡと、８海苔支柱クランプＢと、６フック取り付けボルトと、９海水ホースと、１０引き上げロープを組み合わせて、構成されている。【００１７】  図１は、海苔支柱立て込み装置の全体立面図を示す。図２は、海苔支柱立て込み装置に海苔支柱を挟んで固定した立面図を示す。図３は、海苔支柱の全体立面図を示す。図４は、従来のパイプの立面図を示す。【００１８】  図１に示すように、海苔支柱立て込み装置の、３捩じりバネ付鉤形フックに、１１海苔支柱の、１２泥抜き穴を差し込み、７海苔支柱クランプＡに、１１海苔支柱の側面を当て、抉じり、３捩じりバネ付鉤形フックのバネの復帰弾力を応用して、８海苔支柱クランプＢとの三点で、１１海苔支柱を挟み固定する。【００１９】  船上より、海苔支柱立て込み装置の固定された、１１海苔支柱を持ちノズルを海底の所定の位置に当て、９海水ホースに送水し、水圧をかけ、２ノズルから噴射しながら、貝殻や砂の層を水流により液状化し、１１海苔支柱を押さえ込んでいく。【００２０】  １１海苔支柱の、１２泥抜き穴に差し込まれている、３捩じりバネ付鉤形フックは、１１海苔支柱に押さえ込まれ、５フックずれ防止金具により、ずれが防止され、海苔支柱立て込み装置を液状化の海底に押さえ込んでいく。【００２１】  １１海苔支柱の、１２泥抜き穴が貝殻や砂の層を通過した位置で、９海水ホースの送水を止め、海苔支柱立て込み装置を、半液状化した貝殻や砂の層の中に止め、３捩じりバネ付鉤形フックを、１１海苔支柱の、１２泥抜き穴に差し込まれている長さ、１１海苔支柱を引き上げ、３捩じりバネ付鉤形フックを、バネの弾力で、１２泥抜き穴から横にずらし、三点の挟みをはずし、固定を解除する。１１海苔支柱を押えて、８海水ホースに送水しながら再び液状化し、２ノズルの噴射の水圧で海苔支柱立て込み装置の浮上を促進して、１０引き上げロープで海苔支柱立て込み装置を船上に引き上げて、１１海苔支柱を上げ下げの反動を付けて目標の深さまで押さえ立て込む。【００２２】  このように工夫した、海苔支柱立て込み装置で海苔支柱を立てると従来のように穴を探したり、海苔支柱が大きく開けられた穴で速い潮流より傾いたり高い波で抜けたりする事を意識する事なく、海苔支柱の立て込み作業の効率を向上させる事ができる。【００２３】  海苔支柱の、倒れ抜け防止は、海苔畑の荒れを防ぎ海苔の増産が行える。尚、これら海苔支柱立て込み装置の材料は海水に強く錆びにくいものがよい。
【産業上の利用可能性】
【００２４】  本発明に係る、海苔支柱立て込み装置は工業的量産することが可能であるために、産業上の利用可能性を有する。
【図面の簡単な説明】
【００２５】
【図１】  海苔支柱立て込み装置の全体立面図である。
【図２】  海苔支柱立込み装置に海苔支柱を装着した立面図である。
【図３】  海苔支柱の全体立面図である。
【図４】  従来の海苔支柱立て用具の全体立面図である。
【符号の説明】
【００２６】    １  金属製のパイプを示す
２  ノズルを示す
３  捩じりバネ付鉤形フックを示す
４  フック支え穴を示す
５  フックずれ防止金具を示す
６  フック取り付けボルトを示す
７  海苔支柱クランプＡを示す
８  海苔支柱クランプＢを示す
９  海水ホースを示す
１０  引き上げロープを示す
１１  海苔支柱を示す
１２  海苔支柱の泥抜き穴を示す
１３  海苔支柱の空気抜き穴を示す
１４  海苔支柱の水抜き穴を示す
１５  海苔支柱のアンテナを示す
１６  従来の海苔支柱立て込み用具のパイプを示す
【手続補正３】
【補正対象書類名】図面
【補正対象項目名】全図
【補正方法】変更
【補正の内容】
【図１】
0003145320.tif 000013
【図２】
0003145320.tif 000014
【図３】
0003145320.tif 000015
【図４】
0003145320.tif 000016